(57)【要約】【課題】ビデオ録画再生装置、ＤＶＤ再生装置、ＡＶ機器等の周辺機器の配線接続が容易で、そのラインを壁面等を這わせなくても済む、周辺機器の収納が可能な表示装置およびテレビジョン受像機を提供することにある。【解決手段】この発明は、パネル型の表示装置と、この表示装置を支持するラックと、表示装置をラックに設けられる収納部の扉として開閉する機構とを備えるものである。【選択図】　　　図１
2004032492.tif 000002
【特許請求の範囲】
【請求項１】
パネル型の表示装置と、この表示装置を支持するラックと、前記表示装置を前記ラックに設けられる収納部の扉として開閉する機構とを備えたことを特徴とする表示装置。
【請求項２】
前記ラックは、メディア収納部を上部にＡＶ機器収納部を下部に有するものであって、前記表示装置を前記メディア収納部の扉とする請求項１記載の表示装置。
【請求項３】
パネル型の表示装置と、この表示装置を支持するラックと、前記表示装置を前記ラックに設けられる収納部の扉として開閉する機構とを備えたことを特徴とするテレビジョン受像機。
【請求項４】
前記ラックは、メディア収納部を上部にＡＶ機器収納部を下部に有するものであって、前記表示装置を前記メディア収納部の扉とする請求項１記載のテレビジョン受像機。
【発明の詳細な説明】
【０００１】
【発明の属する技術分野】
この発明は、表示装置およびテレビジョン受像機に関し、詳しくは、大型の液晶表示装置，大型の有機ＥＬ表示装置，ブラズマディスプレイ表示装置等の壁掛け型の大型ディスプレイ装置において、ビデオ録画再生装置、ＤＶＤ再生装置、ＡＶ機器等の周辺機器の配線接続が容易で、そのラインを壁面等に這わせなくても済み、周辺機器等の収納が可能な表示装置およびテレビジョン受像機に関する。
【０００２】
【従来の技術】
近年、３２インチ以上の大型の液晶表示装置，大型の有機ＥＬ表示装置，ブラズマディスプレイ表示装置等の、薄型の壁掛け型のディスプレイ装置が商品化されている。この種の表示装置にあっては、家庭用のテレビジョン受像機としてあるいは商品説明のディスプレイ装置等として壁面に取り付けられ、ときには壁に埋設されて、ＶＴＲ，ＤＶＤ機器、オーディオアンプ等のＡＶ機器が接続され、ホームシアタ等として利用されるケースが多い。
【０００３】
【発明が解決しようとする課題】
しかし、この種の壁掛け型表示装置、例えば、液晶表示装置にあっては、ホームシアタとして利用しようとした場合に、壁の近傍にＡＶ機器を設置して何本かの接続コードを使用し、それぞれの装置の入出力端子、ビデオ端子を接続しなければならなくなる。
そのため、その配線ラインの処理が問題となる。それが外部に露出したり、ＡＶ機器を床面あるいは壁面直下の前面に配置するなど、せっかく壁掛け型となっている表示部分に対してこれの周辺接続機器の配置について始末が悪いことになる。
この発明の目的は、このような従来技術の問題点を解決するものであって、ビデオ録画再生装置、ＤＶＤ再生装置、ＡＶ機器等の周辺機器の配線接続が容易で、そのラインを壁面等に這わせなくても済み、周辺機器等の収納が可能な表示装置およびテレビジョン受像機を提供することにある。
【０００４】
【課題を解決するための手段】
このような目的を達成するためのこの発明の表示装置およびテレビジョン受像機の特徴は、パネル型の表示装置と、この表示装置を支持するラックと、表示装置をラックに設けられる収納部の扉として開閉する機構とを備えるものである。
【０００５】
【発明の実施の形態】
このように、この発明にあっては、パネル型の表示装置をラックにおける収納部の扉として利用することにより、パネル型の表示装置の背面に収納部を確保することができ、ここに接続配線ラインあるいは周辺機器を配置することができる。
その結果、ビデオ録画再生装置、ＤＶＤ再生装置、ＡＶ機器等の周辺機器の配線接続が容易となり、そのラインを壁面等に這わせなくても済む。
【０００６】
【実施例】
図１は、この発明を適用したテレビジョン受像機の外観図であり、図２は、表示装置が位置するラック家具のメディア収納棚の部分断面図、図３は、その表示装置支持フレームの説明図である。
１は、テレビジョン受像機であって、２は、そのラック家具、３は、ラック家具２に装着された液晶テレビジョンのパネル型の表示装置である。
ラック家具２は、図示するように、表面の両サイドに案内レール４１，４２が設けられていて、角度調整機構を備えた表示装置支持フレーム５がこの案内レール４１，４２上を移動する。表示装置支持フレーム５は、ラック家具２の上部に案内レール４１，４２の切り欠き部と係合して図示する位置に固定され（図２参照）、表示装置３をこの位置に保持する。
【０００７】
ラック家具２は、上部のがメディア収納棚２１（図２参照）となっていて、表示装置３の背面に位置する。ここに、ビデオテープ、ＣＤ、ＤＶＤ等のメディアが収納される。そして、その下側には、ガラス扉２２が設けられたＡＶ機器収納部２３となっていて、その内部空間にＶＴＲ，ＤＶＤ機器、オーディオアンプ等のＡＶ機器が収納される。
上部のメディア収納棚２１の奥行きは、１５ｃｍ〜２５ｃｍ程度であり、下側のＡＶ機器収納部２３の奥行きは、３０ｃｍ〜４５ｃｍとなっていて、前者よりも大きい。そこで、これらの間には、角度が２０゜程度で傾斜した傾斜接続部２４が設けられている。
図２に示すように、メディア収納棚２１とＡＶ機器収納部２３との間の仕切底板２５には配線孔６が設けられていて、この配線孔６を介してＡＶ機器から出る各種のケーブル７（点線で示す）が表示装置３の入出力端子，ビデオ端子へと接続される。
【０００８】
図２は、ラック家具のメディア収納棚の部分の断面図であって、案内レール４１として示すように、表示装置支持フレーム５の引掛爪５１，５２が案内レール４１の斜めの切り溝４３，４４に落ち込み引掛爪５１，５２が案内レール４１と係合することで、表示装置３が図１の位置で保持される。切り溝４３，４４は、上に開口がある切り溝となっいて、表示装置３を上へと移動することで自動的に引掛爪５１，５２が切り溝４３，４４から脱出する。この状態で表示装置３を手前に引いて降ろせば、表示装置３は、案内レール４１に設けられた案内溝４５に沿って上下に移動可能となる。なお、案内溝４５は、引掛爪５１，５２爪の厚さよりも大きい幅を持つ。
案内レール４１，４２は、傾斜接続部２４に沿って曲折して形成されている。このことで、案内レール４１，４２の曲折部４６，４７が表示装置支持フレーム５の引掛爪５２の下方への移動を阻止する。そこで、図１に点線で示す、表示装置３をこの位置で停止させて保持することができる。
以上の関係は、図２の図面背後にある案内レール４２も同様である。
【０００９】
案内レール４１，４２は、傾斜接続部２４に沿って傾斜していて、表示装置３は、この傾斜接続部２４まで落とされて案内レール４１，４２との間で保持されて停止する（点線の表示装置３参照）。これによりメディア収納棚２１の棚が開かれる。そして、表示装置３を持ち上げて、引掛爪５１，５２を切り溝４３，４４に係合させることでメディア収納棚２１の位置に再び固定してメディア収納棚２１が閉められる。この位置で表示装置３は正規の位置にセットされる。
すなわち、ここでは、表示装置３は、メディア収納棚２１の開閉扉の役割を担っていて、案内レール４１，４２と表示装置支持フレーム５とにより表示装置３をメディア収納棚２１の扉とした扉開閉機構が形成されている。
【００１０】
さて、ＡＶ機器収納部２３の奥行きとメディア収納棚２１の奥行きとの差が１０ｃｍ〜１５ｃｍ程度であり、この厚さの差は、表示装置支持フレーム５で支持される表示装置３の厚さに相当するので、ラック家具２の前面の位置は、あまり段差のない形態を採ることができる。
図３は、表示装置３を支持する表示装置支持フレーム５の支持機構の説明図であって、Ｈ型フレーム５３の中央のブリッジ部分に首振り調整のための椀型のユニバーサルジョイント５４が設けられていて、このユニバーサルジョイント５４を介して表示装置３の背面の中央部分が結合されて表示装置３がＨ型フレーム５３に角度調整可能に支持される。Ｈ型フレーム５３の両側のサイドフレーム５５，５６の側面には、それぞれ上下２カ所に切り溝４３，４４の間隔に対応して引掛爪５１，５２が耳の形で突設されている。
【００１１】
以上説明してきたが、実施例では、表示装置支持フレーム５と表示装置３とをユニバーサルジョイント５２を介して別部材として構成しているが、ユニバーサルジョイント５２を設けることなく、表示装置支持フレーム５と表示装置３とを一体的に構成してもよい。また、表示装置支持フレーム５と案内レール４１，４２との係合を爪と溝とにより行っているが、これらの支持構造は、結合と解除ができる機構であればどのような構成のものであってもよい。
さらに、実施例の表示装置は、液晶表示装置を例としてるが、表示装置は、これに限定されるものではなく、ここではテレビジョン受像機の例を挙げているが、この発明は、表示装置一般に適用できることはもちろんである。
【００１２】
【発明の効果】
以上説明したように、この発明にあっては、パネル型の表示装置をラックにおける収納部の扉として利用することにより、パネル型の表示装置の背面に収納部を確保することができ、ここに接続配線ラインあるいは周辺機器を配置することができる。
その結果、ビデオ録画再生装置、ＤＶＤ再生装置、ＡＶ機器等の周辺機器の配線接続が容易となり、そのラインを壁面等に這わせなくても済む。
【図面の簡単な説明】
【図１】図１は、この発明を適用したテレビジョン受像機の外観図である。
【図２】図２は、表示装置が位置するラック家具のメディア収納棚の部分断面図である。
【図３】図３は、その表示装置支持フレームの説明図である。
【符号の説明】
１…テレビジョン受像機、２…ラック家具、３…表示装置、
５…表示装置支持フレーム、６…配線孔、７…接続ケーブル、
２１…メディア収納棚、２２…ガラス扉、２３…ＡＶ機器収納部、
２４…傾斜接続部、２５…仕切底板、４１，４２…案内レール、
４３，４４…切り溝、５１，５２…引掛爪、
５３…Ｈ型フレーム、５４…ユニバーサルジョイント、
５５，５６…サイドフレーム。
【図１】
2004032492.tif 000003
【図２】
2004032492.tif 000004
【図３】
2004032492.tif 000005